(57)【要約】【課題】表示部に安価なＬＥＤの使用を可能にし、安価な空気調和機の室内機を提供する。【解決手段】本空気調和機の室内機は、前記室内ユニット本体の前面部の幅方向に設けられ、前記吸込口と前記吹出口とを仕切る仕切板部と、室内ユニット本体の前面部に前記吸込口前面を覆うように設けられ、かつ下端縁部が前記仕切板部の前方を遮蔽するように前記仕切板部の前方に延びると共に前記仕切板部との間の間隙に下部吸込口を構成させた板状の吸込パネルと、この吸込パネルに対向する前記仕切板部に設けられ、空気調和機の運転状態を表示する表示部ならびに表示部の近傍にリモコンからの信号を受信する受信部を備える。【選択図】  図２
2007187394.tif 000002
【特許請求の範囲】
【請求項１】
室内ユニット本体の上部に吸込口及び下部に吹出口を形成し、前記吸込口と前記吹出口を連通する送風路に熱交換器及び送風機を配置してなる空気調和機の室内機において、
前記室内ユニット本体の前面部の幅方向に設けられ、前記吸込口と前記吹出口とを仕切る仕切板部と、
室内ユニット本体の前面部に前記吸込口前面側を覆うように設けられ、かつ下端縁部が前記仕切板部の前方に位置するように前記仕切板部の前面側に延設させると共に前記仕切板部前面との間に形成する間隙により下部吸込口を構成させた板状の吸込パネルと、
この吸込パネルに対向する前記仕切板部に設けられ、空気調和機の運転状態を表示する表示部ならびに表示部の近傍にリモコンからの信号を受信する受信部を備えたことを特徴とする空気調和機の室内機。
【発明の詳細な説明】
【技術分野】
【０００１】
本発明は空気調和機の室内機に係り、特に表示部の取り付け構造を改良した空気調和機の室内機に関する。
【背景技術】
【０００２】
近年、空気調和機の運転モードの多様化に伴い、冷房運転、暖房運転、除湿運転、空気清浄運転等の運転状態に応じて、多数設けられた発光色の異なる発光体を発光させて、色調の違いで運転状態を使用者が確認できるようにしている。
【０００３】
例えば、前面吸込口の前面にパネルを設け、このパネルの下部に吸込口を形成するもので、その吸込口部分に、透光板を用いた飾りパネルを幅方向に配置して、吸込口部分全体が発光する構成とし、発光装置が配置された表示部は、吸込口と吹出口の間の前面部に配置されている。このような従来の壁掛け形の空気調和機の室内機において、前パネル部分に表示部を設けた場合、照明点灯時の視認性を確保するため、運転状態表示に使用するＬＥＤは、高価な高輝度の物を使用する必要がある。また、インバータ蛍光灯などのノイズによる誤動作を防ぐため、赤外線を使用するワイヤレスリモコンの受光部には、赤外線のみを透過するフィルタ材料を使用する必要がある（特許文献１）。
【０００４】
しかしながら，特許文献１に用いられる高輝度のＬＥＤは一般的なＬＥＤに対し高価であり、また、赤外線のみを透過する材料は一般材に比べ高価であるなどの問題点がある。
【特許文献１】特開２００４−８５０２２号公報
【発明の開示】
【発明が解決しようとする課題】
【０００５】
本発明は上述した事情を考慮してなされたもので、前面パネルにエアコンの運転状態を示す表示部の前方部を、室内ユニットの前面部に配置した吸込パネルによりエアコン正面及び上面位置から表示部が隠れる位置に配置することにより、室内照明の照度的な影響及びノイズの影響を受けることなく表示部に安価なＬＥＤの使用を可能にし、簡素な構成で認識性及び動作精度を向上させた信頼性の高い空気調和機の室内機を提供することを目的とする。
【課題を解決するための手段】
【０００６】
上述した目的を達成するため、本発明に係る空気調和機の室内機は、室内ユニット本体の上部に吸込口及び下部に吹出口を形成し、前記吸込口と前記吹出口を連通する送風路に熱交換器及び送風機を配置してなる空気調和機の室内機において、前記室内ユニット本体の前面部の幅方向に設けられ、前記吸込口と前記吹出口とを仕切る仕切板部と、室内ユニット本体の前面部に前記吸込口前面側を覆うように設けられ、かつ下端縁部が前記仕切板部の前方に位置するように下端部が前記仕切板部の前面側に延設すると共に前記仕切板部前面との間に形成させた間隙により下部吸込口を構成させた板状の吸込パネルと、この吸込パネルに対向する前記仕切板部の表面に設けられ、空気調和機の運転状態を表示する表示部ならびに表示部の近傍にリモコンからの信号を受信する受信部を備えたことを特徴とする。
【発明の効果】
【０００７】
本発明に係る空気調和機の室内機によれば、表示部に安価なＬＥＤの使用を可能にし、室内照明の照度的な影響及びノイズの影響を受けることなく表示部に安価なＬＥＤの使用を可能にし、簡素な構成で認識性及び動作精度を向上させた信頼性の高い表示装置を備えた空気調和機の室内機を提供することができる。
【発明を実施するための最良の形態】
【０００８】
以下、本発明の一実施形態に係る空気調和機の室内機について添付図面を参照して説明する。
【０００９】
図１は本発明の一実施形態に係る空気調和機の室内機の正面図、図２はその側断面図、図３はその分解斜視図、図４は吸込パネルを除去した状態のその正面図である。
【００１０】
図１乃至図４に示すように、本実施形態の空気調和機の室内ユニット１は筐体を構成するユニット本体２を備え、このユニット本体２は室内ユニット1前面側を覆う前面パネル３と室内ユニット機能部品が取り付けられる後板４から構成される。
【００１１】
前記前面パネル３は、吸込口６を形成する前面側上部は開口しており、この前面開口３ａには、その開口を覆うように、ユニット本体１の前面部を構成する板状の吸込パネル５を開閉可能取り付けていると共に、この吸込パネル５の下端部に前面吸込口６を開口させている。また、前面パネル３の上面には上面グリルが嵌め込まれた上部吸込口７が開口され、前面パネル３の下部には熱交換空気の風向を設定するルーバ８を設けた吹出口９が開口される。
【００１２】
ユニット本体２内の後板４には、前記吸込口６、７と前記吹出口９の間に送風路１３が形成され、この送風路１３内に前記後板４に取り付けられた熱交換器１２、その下流側に送風機１４が配設されている。
【００１３】
前記熱交換器１２は、前面側に配置される前側熱交換器１２Ａと、背面側に後側熱交換器１２Ｂが側面視逆Ｖ字状に構成され、また、前記送風機１４は横流ファンで構成され前記熱交換器１２の下流側に配置されている。
【００１４】
また、前記前側熱交換器１２Ａの吸込側には、電気集塵器１０が取り付けられている。
【００１５】
さらに、前面パネル３には、前面側吸込口６と吹出口９の間に、前記吸込口６と前記吹出口９とを上下に仕切る仕切板部３ｂが、前記室内ユニット本体２の前面部に幅方向亘って設けられている。
【００１６】
前記吸込口６前面を覆うように設けられる吸込パネル５の下端縁部は、前記仕切板部３ｂの前方を遮蔽するように前記仕切板部３ｂの前方まで延びると共に前記仕切板部３ｂとの間に間隙を形熱交換空気の上下方向の風向を設定する吹出用のルーバ８を設け成し、この下部の間隙を前面側吸込口６として構成させている。
【００１７】
さらに、仕切板部３ｂの前方を遮蔽するように仕切板部３ｂの前方に延びた吸込パネル５はわずかに湾曲しており、仕切板部３ｂの一部も上記湾曲に合わせこれと略々平行になるように傾斜する傾斜部３ｃが設けられている。
【００１８】
図５乃至図７に示すように、仕切板部３ｂには空気調和機の運転状態を表示し、傾斜部３ｃに設けられた取付孔に取り付けられたＬＥＤ表示レンズ１１ａと仕切板部３ｂに近接する制御基板１５に取り付けられたＬＥＤ１１ｂを備えた表示部１１が配置されている。さらに、表示部１１の近傍の傾斜部３ｃには、傾斜部３ｃに設けられた取付孔に取り付けられた受光フィルタ１６ａとリモコンからの赤外線信号を受信し制御基板１５に取り付けられた受光素子１６ｂを備えた受信部１６が設けられる。
【００１９】
表示部１１及び受信部１６の仕切板部３ｂへの配置は、表示部１１及び受信部１６を制御基板１５に取り付け、この制御基板１５を傾斜部３ｃに近接して対向させ平行になるように収納ケース１５ａを介して後板４に構成するドレンパン１８の前面に取り付けることで行われる。
【００２０】
表示部１１をこのような取り付け構造にすることにより、表示部１１は吸込パネル５で遮蔽され正面（水平方向）から見えない状態になる。さらに、表示部１１は傾斜した傾斜部３ｃに設けられており、表示部１１を斜め下方を向いた下部吸込口６を介して見るようにしたので、エアコン本体と同じ高さ、またはエアコン本体より高い位置に設置された照明器具の光が、直接受光素子１６ｂ及びＬＥＤ表示レンズ１１ａに当たらないようにすることにより、天井の照明の光が吸込パネルで遮られ、ＬＥＤ周囲の照度を下げることが出来るため、飾りパネルを介して表示し高輝度で高価なＬＥＤを用いる従来とは異なり、表示部１１に通常の輝度の低いＬＥＤ１１ｂを使用してもＬＥＤ１１ｂの視認性を維持できる。
【００２１】
また、受光部１６も正面から見えないよう構成することで、受光素子１６ｂに直接照明器具の光が当たらないため、受光フィルタの材料に赤外線のみを透過するフィルタ材料を使用しなくても、インバータ蛍光灯などのノイズによるリモコン受信不良を防ぐことができ、照明器具によるリモコン受信の誤動作の発生を防止することができる。
【００２２】
さらに、ＬＥＤ表示レンズ１１ａと受光フィルタ１６ａを近接して位置出来るため、ＬＥＤ表示レンズ１１ａと受光フィルタ１６ａを一体化した部品にすることが可能になり、さらに、ＬＥＤ１１ｂと受光素子１６ｂを同じ制御基板１５に取り付けることが可能になり、表示基板と受光基板を一体化でき、制御基板１５を小形化することができる。
【００２３】
本実施形態の空気調和機の室内機によれば、前面パネルの仕切板部に表示部を設け、この表示部を前面パネルの前面に設けた吸込パネルによりエアコン正面位置から表示部が見えないようにすることにより、安価で輝度の低いＬＥＤを使用してもＬＥＤの視認性が低下せず、室内照明の照度的な影響及びノイズの影響を受けることなく、簡素な構成で認識性及び動作精度を向上させた信頼性の高い空気調和機の室内機が実現される。
【図面の簡単な説明】
【００２４】
【図１】本発明に係る空気調和機の室内機の正面図。
【図２】本発明に係る空気調和機の室内機の側断面図。
【図３】本発明に係る空気調和機の室内機を分解して示す斜視図。
【図４】本発明に係る空気調和機の室内機の吸込パネルを除去して示す正面図。
【図５】本発明に係る空気調和機の室内機の前面パネルを除去して表示部近傍を示す斜視図。
【図６】本発明に係る空気調和機の室内機の表示部近傍の縦断面図。
【図７】本発明に係る空気調和機の室内機の受光部近傍の縦断面図。
【符号の説明】
【００２５】
１…空気調和機の室内ユニット、２…ユニット本体、３…前面パネル、３ａ…前面開口、３ｂ…仕切板部、３ｃ…傾斜部、４…後板、５…吸込パネル、６…下部吸込口、８…ルーバ、９…吹出口、１０…電気集塵器、１１…表示部、１１ａ…ＬＥＤ表示レンズ、１１ｂ…ＬＥＤ、１２…熱交換器、１４…送風機、１５…取付板、１６…受光部、１６ａ…受光フィルタ、１６ｂ…受光素子。
【図１】
2007187394.tif 000003
【図２】
2007187394.tif 000004
【図３】
2007187394.tif 000005
【図４】
2007187394.tif 000006
【図５】
2007187394.tif 000007
【図６】
2007187394.tif 000008
【図７】
2007187394.tif 000009